(57)【要約】【課題】ユーザ所望のコンテンツの入手及び入手したコンテンツの管理を容易にする。【解決手段】本発明に係る記録再生装置１は、ＲＯＭ層およびＲＥ層を備えたディスク１００に対して情報の記録を行うものであって、ＲＯＭ層に予め記録されたコンテンツに関連する関連コンテンツを取得するコンテンツ取得部１０３と、取得した関連コンテンツをＲＥ層に記録するドライブ部１１とを備える。【選択図】図１
2011192361.tif 000002
【特許請求の範囲】
【請求項１】
書き換え不能な第１情報記録層および書き換え可能な第２情報記録層を備えた着脱型情報記録媒体に対して情報の記録を行う情報記録装置であって、
前記第１情報記録層に予め記録されたコンテンツに関連する関連コンテンツを取得する取得手段と、
前記取得手段により取得された関連コンテンツを、前記第２情報記録層に記録する記録処理手段とを備えることを特徴とする情報記録装置。
【請求項２】
前記取得手段は、前記第１情報記録に予め記録された、前記関連コンテンツのカタログに基づいて、前記関連コンテンツを取得することを特徴とする請求項１に記載の情報記録装置。
【請求項３】
前記カタログをユーザに提示する提示手段をさらに備えており、
前記取得手段は、提示された前記カタログからユーザに選択された関連コンテンツを取得することを特徴とする請求項２に記載の情報記録装置。
【請求項４】
前記記録処理手段は、前記選択された関連コンテンツを識別する識別情報を、前記第２情報記録層に記録させる機能をさらに有しており、
前記取得手段は、前記第２情報記録層に記録された識別情報に基づいて、前記選択された関連コンテンツを取得することを特徴とする請求項３に記載の情報記録装置。
【請求項５】
前記提示手段は、前記カタログを各関連コンテンツのサムネイルにより表示することを特徴とする請求項３または４に記載の情報記録装置。
【請求項６】
前記提示手段は、提示された前記カタログからユーザに仮選択された関連コンテンツについて、前記カタログに含まれる当該関連コンテンツの一部情報を再生する機能をさらに有することを特徴とする請求項３から５のいずれか１項に記載の情報記録装置。
【請求項７】
前記第１情報記録層に予め記録された認証データを外部サーバに送信する通信手段をさらに備えており、
前記取得手段は、前記認証データを受信した前記外部サーバから送信される関連コンテンツを取得することを特徴とする請求項１から６のいずれか１項に記載の情報記録装置。
【請求項８】
前記通信手段は、前記第２情報記録層に予め記録された鍵情報を前記外部サーバに送信する機能をさらに有しており、
前記取得手段は、前記認証データおよび前記鍵情報を受信した前記外部サーバから、前記鍵情報に基づいて暗号化された前記関連コンテンツを取得し、
前記記録処理手段は、前記暗号化された関連コンテンツを、前記第２情報記録層に記録することを特徴とする請求項７に記載の情報記録装置。
【請求項９】
前記コンテンツの情報に基づいて前記関連コンテンツを検索する検索手段をさらに備えており、
前記取得手段は、前記検索手段により検索された前記関連コンテンツを取得することを特徴とする請求項１に記載の情報記録装置。
【請求項１０】
書き換え不能な第１情報記録層および書き換え可能な第２情報記録層を備えた着脱型情報記録媒体に対して情報の記録を行う情報記録装置、および、端末装置とを備えており、
前記情報記録装置は、
前記第１情報記録層に予め記録されたコンテンツに関連する関連コンテンツのカタログであって、前記第１情報記録層に予め記録されたカタログを、ユーザに提示する提示手段と、
前記提示手段により提示された前記関連コンテンツのカタログからユーザに選択された関連コンテンツを識別する識別情報を、前記第２情報記録層に記録させる装置側記録手段とを備えており、
前記端末装置は、
前記第２情報記録層に記録された識別情報に基づいて、前記選択された関連コンテンツを取得する取得手段と、
前記取得手段により取得された関連コンテンツを、前記第２情報記録層に記録する端末側記録手段とを備えていることを特徴とする情報記録システム。
【請求項１１】
再生専用の第１情報記録層および書き換え可能な第２情報記録層を備えた着脱型情報記録媒体に対して情報の記録を行う情報記録方法であって、
前記第１情報記録層に予め記録されたコンテンツに関連する関連コンテンツを取得する取得工程と、
前記取得工程において取得された関連コンテンツを、前記第２情報記録層に記録する記録工程とを含んでいることを特徴とする情報記録方法。
【請求項１２】
請求項１から１０までのいずれか１項に記載の情報記録装置を動作させるための情報記録プログラムであって、コンピュータを前記各手段として動作させるための情報記録プログラム。
【請求項１３】
請求項１２に記載の情報記録プログラムを記録したコンピュータ読み取り可能な情報記録媒体。
【請求項１４】
コンピュータ読み取り可能な着脱型の情報記録媒体であって、書き換え不能な第１情報記録層および書き換え可能な第２情報記録層を備えており、
前記第１情報記録層には、コンテンツ、および請求項１２に記載の情報記録プログラムが記録されていることを特徴とする情報記録媒体。
【請求項１５】
前記第１情報記録層には、前記コンテンツに関連する関連コンテンツのカタログがさらに記録されていることを特徴とする請求項１４に記載の情報記録媒体。
【発明の詳細な説明】
【技術分野】
【０００１】
本発明は、書き換え不能な第１情報記録層および書き換え可能な第２情報記録層を備えた着脱型情報記録媒体に対して情報の記録を行う情報記録装置などに関する。
【背景技術】
【０００２】
ＢＤ（Blu-ray Disc；登録商標）の再生を行うプレーヤーの普及にともない、様々なコンテンツがＢＤ−ＲＯＭディスクの形態で販売されている。ユーザは自分の好みのコンテンツを店頭やオンラインショップ等で購入することができる。
【０００３】
また最近では、ネットワークに接続されたＢＤプレーヤーに専用のＢＤ−ＲＯＭディスクを挿入することで、ユーザを販売元のサイトに誘導し、当該サイトで新しいコンテンツの情報を提供するサービスが存在する（非特許文献１参照）。
【０００４】
ユーザが上述のようなサービスを利用してコンテンツを購入する場合、コンテンツをストリーミング視聴するか、またはダウンロードするかを選択することになる。ただし、ストリーミング視聴を選択した場合はコンテンツデータを機器に保存できない。また、ダウンロードを選択した場合は、コンテンツデータを機器内蔵のＨＤＤ（hard disc drive）やフラッシュメモリ等に保存することはできるが、持ち出し可能な外部記録媒体へ保存することはできない。このため、コンテンツを持ち出し可能なデータとして手元に置きたいというユーザは、コンテンツをディスクの形態で購入することが必要である。
【０００５】
このような状況において、ＢＤにおいてもディスクの記録容量を向上させるために、情報記録層を複数有する多層情報記録媒体が開発されている。（例えば、特許文献１および２参照）。
【先行技術文献】
【特許文献】
【０００６】
【特許文献１】特開２００２−３６６８４６号公報（２００２年１２月２０日公開）
【特許文献２】特開２００９−１９３６３３号公報（２００９年８月２７日公開）
【非特許文献】
【０００７】
【非特許文献１】“DMM. TV for Blu-ray Disc”、［online］、［平成２２年１月１３日検索］、インターネット〈ＵＲＬ：http//www.dmm.com/tv/bluray〉
【発明の概要】
【発明が解決しようとする課題】
【０００８】
しかしながら、ディスクの形態でコンテンツを購入する場合、購入したディスクの物理的な受け取りやその後の管理には、ユーザの手間が必要になる。特にシリーズ物の映画やドラマ等のディスクを購入する場合には、大量のディスクを保有することになり、その管理は困難になる。
【０００９】
また、店頭はもちろんのこと、オンラインショップや上記サービス等を利用した場合であっても、膨大なタイトル数のコンテンツの中から自分が視聴したいと思うコンテンツを探すことは時に困難を伴う。
【００１０】
そこで、本発明は、ユーザの要望に合ったコンテンツを取得し、かつ、取得したコンテンツの管理を容易にする、情報記録再生装置などを提供することにある。
【課題を解決するための手段】
【００１１】
本発明に係る情報記録装置は、上記課題を解決するために、書き換え不能な第１情報記録層および書き換え可能な第２情報記録層を備えた着脱型情報記録媒体に対して情報の記録を行う情報記録装置であって、前記第１情報記録層に予め記録されたコンテンツに関連する関連コンテンツを取得する取得手段と、前記取得手段により取得された関連コンテンツを、前記第２情報記録層に記録する記録処理手段とを備えることを特徴としている。
【００１２】
一般に、ユーザは、あるコンテンツを視聴して気に入った場合、そのコンテンツに関連する関連コンテンツについても視聴したいと考える。上記構成によれば、情報記録装置は、着脱型情報記録媒体に予め記録されたコンテンツに関連する関連コンテンツを取得する。よって、情報記録装置は、ユーザの要望に合ったコンテンツを関連コンテンツとして取得することができる。
【００１３】
また、上記構成によれば、情報記録装置は、コンテンツが記録されている着脱型情報記録媒体に対して、取得した関連コンテンツを記録する。すなわち、情報記録装置は、関連し合う複数のコンテンツを１つの媒体に記録するため、取得したコンテンツの管理を容易にすることができる。
【００１４】
なお、予め記録されたコンテンツは書き換え不能な第１情報記録層に記録されている一方、関連コンテンツは書き換え可能な第２情報記録層に記録される。よって、大元のコンテンツが削除されることがなく、かつ、このコンテンツに関連する関連コンテンツを後から追加的に入手することができる。さらに、関連コンテンツに関しては、視聴等が済んで不要になったものを削除することができ、ユーザがより多くの関連コンテンツを視聴することも可能である。
【００１５】
また、本発明に係る情報記録装置において、前記取得手段は、前記第１情報記録に予め記録された、前記関連コンテンツのカタログに基づいて、前記関連コンテンツを取得することが好ましい。
【００１６】
上記構成によれば、情報記録装置は関連コンテンツをより簡単に取得することができる。
【００１７】
また、本発明に係る情報記録装置は、前記カタログをユーザに提示する提示手段をさらに備えており、前記取得手段は、提示された前記カタログからユーザに選択された関連コンテンツを取得することが好ましい。
【００１８】
上記構成によれば、ユーザは、提示されたカタログを参照することによって、好みの関連コンテンツを容易に見つけることができる。よって、情報記録装置は、ユーザの好みに適した関連コンテンツを取得することができる。
【００１９】
また、本発明に係る情報記録装置において、前記記録処理手段は、前記選択された関連コンテンツを識別する識別情報を、前記第２情報記録層に記録させる機能をさらに有しており、前記取得手段は、前記第２情報記録層に記録された識別情報に基づいて、前記選択された関連コンテンツを取得することが好ましい。
【００２０】
上記構成によれば、情報記録装置は、識別情報を一旦記録しておくことにより、関連コンテンツを後から取得することができる。
【００２１】
また、本発明に係る情報記録装置において、前記提示手段は、前記カタログを各関連コンテンツのサムネイルにより表示することが好ましい。
【００２２】
上記構成によれば、ユーザは、提示されたカタログの中身を把握し易く、関連コンテンツを容易に選択することができる。
【００２３】
また、本発明に係る情報記録装置において、前記提示手段は、提示された前記カタログからユーザに仮選択された関連コンテンツについて、前記カタログに含まれる当該関連コンテンツの一部情報を再生する機能をさらに有することが好ましい。
【００２４】
上記構成によれば、ユーザは関連コンテンツの一部情報を視聴することによって、当該関連コンテンツを選択するか否かの判断材料にすることができる。よって、情報記録装置は、ユーザの好みにより適した関連コンテンツを取得することができる。
【００２５】
また、本発明に係る情報記録装置は、前記第１情報記録層に予め記録された認証データを外部サーバに送信する通信手段をさらに備えており、前記取得手段は、前記認証データを受信した前記外部サーバから送信される関連コンテンツを取得することが好ましい。
【００２６】
上記構成によれば、第１情報記録層に予め記録された認証データを利用することによって、不正なコンテンツ取得が行われることを防止することができる。
【００２７】
また、本発明に係る情報記録装置は、前記通信手段は、前記第２情報記録層に予め記録された鍵情報を前記外部サーバに送信する機能をさらに有しており、前記取得手段は、前記認証データおよび前記鍵情報を受信した前記外部サーバから、前記鍵情報に基づいて暗号化された前記関連コンテンツを取得し、前記記録手段は、前記暗号化された関連コンテンツを、前記第２情報記録層に記録することが好ましい。
【００２８】
上記構成によれば、第１情報記録層に予め記録された認証データと、第２情報記録層に予め記録された鍵情報とを利用することによって、不正なコンテンツ取得が行われることをより好適に防止することができる。また、第２情報記録層に予め鍵情報が予め記録されていることによって、暗号化された関連コンテンツをそのまま第２情報記録層に記録しても問題なく再生することができる。
【００２９】
また、本発明に係る情報記録装置は、前記コンテンツの情報に基づいて前記関連コンテンツを検索する検索手段をさらに備えており、前記取得手段は、前記検索手段により検索された前記関連コンテンツを取得してもよい。
【００３０】
上記構成によれば、情報記録装置が関連コンテンツを検索してこれを取得するため、ユーザによる検索の手間を省略することができる。
【００３１】
なお、情報記録装置と端末装置とを含む情報記録システムも、本発明の範疇に含まれる。すなわち、本発明に係る情報記録システムは、再生専用の第１情報記録層および書き換え可能な第２情報記録層を備えた着脱型情報記録媒体に対して情報の記録を行う情報記録装置、および、端末装置とを備えており、前記情報記録装置は、前記第１情報記録層に予め記録されたコンテンツに関連する関連コンテンツのカタログであって、前記第１情報記録層に予め記録されたカタログを、ユーザに提示する提示手段と、前記提示手段により提示された前記関連コンテンツのカタログからユーザに選択された関連コンテンツを識別する識別情報を、前記第２情報記録層に記録させる装置側記録手段とを備えており、前記端末装置は、前記第２情報記録層に記録された識別情報に基づいて、前記選択された関連コンテンツを取得する取得手段と、前記取得手段により取得された関連コンテンツを、前記第２情報記録層に記録する端末側記録手段とを備えていることを特徴としている。
【００３２】
上記構成によれば、情報記録システムは、情報記録装置においてユーザが所望した関連コンテンツを、端末装置において的確に取得することができる。
【００３３】
また、本発明に係る情報記録方法は、上記課題を解決するために、再生専用の第１情報記録層および書き換え可能な第２情報記録層を備えた着脱型情報記録媒体に対して情報の記録を行う情報記録方法であって、前記第１情報記録層に予め記録されたコンテンツに関連する関連コンテンツを取得する取得工程と、前記取得工程において取得された関連コンテンツを、前記第２情報記録層に記録する記録工程とを含んでいることを特徴としている。
【００３４】
上記方法によれば、本発明に係る情報記録装置と同様の効果を奏する。
【００３５】
本発明に係る情報記録装置は、コンピュータによって実現してもよい。この場合、コンピュータを前記各手段として動作させることにより前記情報記録装置をコンピュータにおいて実現する情報記録プログラム、およびその情報記録プログラムを記録したコンピュータ読み取り可能な記録媒体も、本発明の範疇に入る。
【００３６】
また、本発明の情報記録媒体は、前記課題を解決するために、コンピュータ読み取り可能な着脱型の情報記録媒体であって、書き換え不能な第１情報記録層および書き換え可能な第２情報記録層を備えており、前記第１情報記録層には、コンテンツ、および上述の情報記録プログラムが記録されていることを特徴としている。また、本発明の情報記録媒体は、前記第１情報記録層に、前記コンテンツに関連する関連コンテンツのカタログがさらに記録されていることが好ましい。
【００３７】
上記構成によれば、書き込み可能な情報読み取り装置に情報記録媒体を装填することによって、他の専用機器を必要とせずに、上述した情報記録装置を好適に実現することができる。
【発明の効果】
【００３８】
本発明にかかる情報記録装置は、書き換え不能な第１情報記録層および書き換え可能な第２情報記録層を備えた着脱型情報記録媒体に対して情報の記録を行う情報記録装置であって、前記第１情報記録層に予め記録されたコンテンツに関連する関連コンテンツを取得する取得手段と、前記取得手段により取得された関連コンテンツを、前記第２情報記録層に記録する記録処理手段とを備えるため、ユーザの要望に合ったコンテンツを取得し、かつ、取得したコンテンツの管理を容易にするという効果を奏する。
【図面の簡単な説明】
【００３９】
【図１】本発明の第１の実施形態に係る情報記録装置の主要部の構成を示すブロックである。
【図２】前記情報記録装置の全体の概要構成を示すブロック図である。
【図３】本発明の第１の実施形態に係る情報記録媒体の構造を示す模式図である。
【図４】情報記録装置において実行される処理を説明するための模式図である。
【図５】情報記録装置において実行される処理の他の例を説明するための模式図である。
【図６】関連コンテンツを取得する際における通信処理を説明するための模式図である。
【図７】関連コンテンツを取得する際における通信処理の他の例を説明するための模式図である。
【図８】本発明の第２の実施形態に係る情報記録装置の概要構成を示すブロック図である。
【図９】本発明の第２の実施形態に係る端末装置の概要構成を示すブロック図である。
【図１０】本発明の第３の実施形態に係る情報記録装置の概要構成を示すブロック図である。
【発明を実施するための形態】
【００４０】
〔実施形態１〕
以下、本発明の一実施形態について、図面を参照しながら説明する。
【００４１】
なお、本実施形態では、着脱可能な情報記録媒体（着脱型情報記録媒体）の一例として光ディスクを用いる。光ディスク（以下、単にディスクと称する）としては、ＢＤ（Blu-ray Disc）、ＤＶＤ（Digital Versatile Disc）などが想定される。ただし、本発明はこれに限定されず、着脱可能な情報記録媒体一般に適用することができる。
【００４２】
また、本実施形態では、ディスクにコンテンツを記録する記録機能だけでなく、ディスクに記録されているコンテンツを再生する再生機能を有する記録再生装置（情報記録装置）１について説明する。
【００４３】
（記録再生装置１の構成）
図１は、本発明の一実施形態である記録再生装置１の主要部の構成を示すブロックである。また、図２は、記録再生装置１の全体の概要構成を示すブロック図である。
【００４４】
まず、図２に基づき、記録再生装置１の全体の概要構成について簡単に説明する。
【００４５】
図２に示すように、記録再生装置１は、主として処理部１０、ドライブ部（記録処理手段）１１、映像・音声出力Ｉ／Ｆ１２、ネットワークＩ／Ｆ（通信手段）１３、ユーザＩ／Ｆ１４、作業用メモリ１５、および不揮発性メモリ１６を備えている。
【００４６】
ドライブ部１１は、装填されたディスク１００に対してデータを書き込んだり、ディスク１００からデータを読み出したりするドライブ装置として実現される。
【００４７】
映像・音声出力Ｉ／Ｆ１２は、テレビ装置２との間で、映像データや音声データを送信するためのインターフェースである。なお、本発明はテレビ装置２に限られず、スピーカやディスプレイディスプレイを有する装置を好適に利用することができる。
【００４８】
ネットワークＩ／Ｆ１３は、通信ネットワークを介してサーバ３との通信を行うためのインターフェースである。サーバ３は、例えばコンテンツ販売者が提供するコンテンツデータベースを有する外部サーバである。
【００４９】
ユーザＩ／Ｆ１４は、ユーザが操作装置４を操作して入力した指示を受信するためのインターフェースである。
【００５０】
作業用メモリ１５および不揮発性メモリ１６は、記録再生装置１の各機能ブロックを制御するために必要な情報が保存されている。例えば作業用メモリ１５としてはＤＲＡＭ等が挙げられ、不揮発性メモリ１６としてはＦＬＡＳＨ等が挙げられる。
【００５１】
次に、図１に基づき、処理部１０に含まれる構成について簡単に説明する。
【００５２】
図１に示すように、処理部１０は、コンテンツ再生部１０１を含んで構成され、さらに、ディスク１００に記録された後述のプログラム（ソフトウェア）が実行されることによって、カタログ提示部（提示手段）１０２およびコンテンツ取得部（取得手段）１０３としても機能する。処理部１０は、例えばＣＰＵ（Central Processing Unit）によって実現される。
【００５３】
コンテンツ取得部１０３は、ネットワークＩ／Ｆ１３を介して、サーバ３からコンテンツを取得することができる。
【００５４】
コンテンツ再生部１０１は、ドライブ部１１に装填されたディスク１００に記録されたコンテンツの処理を行い、当該コンテンツを映像・音声出力Ｉ／Ｆ１２を介してテレビ装置２に再生させることができる。
【００５５】
カタログ提示部１０２は、ドライブ部１１に装填されたディスク１００に記録されたカタログを、映像・音声出力Ｉ／Ｆ１２を介してテレビ装置２に表示することができる。
【００５６】
（ディスク１００の構成）
次に、図３に基づき、本発明の一実施形態であるディスク（情報記録媒体）１００の構成について説明する。図３は、ディスク１００の構造を示す模式図である。
【００５７】
図３に示すように、ディスク１００は、書き換え可能な情報記録層（ＲＥ（RE-writable）層：第２情報記録層）１１０と、再生専用の（書き換え不能な）情報記録層（ＲＯＭ（Read Only Memory）層：第１情報記録層）１２０を備えるハイブリッドディスクである。
【００５８】
ＲＥ層１１０には、予めデータが記録されている必要はない。ディスク１００を使用することによって、コンテンツ取得部１０３により取得されたコンテンツや、取得を要求するコンテンツを識別するための識別情報（ＩＤ）等が記録される。また、後述する暗号化処理を行う場合には、ＲＥ層１１０には、暗号化されたデータに対する鍵情報が記録されていることが好ましい。なお、ＲＥ層１１０は、ＴＶ番組等を通常に録画したコンテンツを記録する領域として使用されてもよい。
【００５９】
ＲＯＭ層１２０には、予め、ディスク１００の配布元等によって、あるコンテンツ（以下、オリジナルコンテンツと称する）、および、このオリジナルコンテンツに関連する関連コンテンツの一覧であるカタログが記録されている。
【００６０】
オリジナルコンテンツは、映画やドラマ等の動画コンテンツであってもよいし、音楽コンテンツであってもよい。
【００６１】
関連コンテンツとは、オリジナルコンテンツに内容が関連するコンテンツである。関連コンテンツは、例えば、オリジナルコンテンツとジャンルが共通するコンテンツや、同じ出演者が出演するコンテンツなどであってもよい。また、オリジナルコンテンツが映画やドラマである場合には、その特典映像やサウンドトラックを含んでもよい。また、オリジナルコンテンツがシリーズを構成する映画またはドラマの１話目である場合には、関連コンテンツがその２話目以降のコンテンツを含むことにより、ユーザに対してより好適な利用を提供できる。
【００６２】
関連コンテンツのカタログ（以下、関連コンテンツカタログと称する）には、関連コンテンツに関する情報が収録されている。具体的には、各関連コンテンツについて、ユーザに提示するための情報（タイトル、出演者、製作者、および、タイトル画面等）、ならびに、コンテンツを識別するための識別情報（ＩＤ等）が収録されていることが好ましい。
【００６３】
また、ＲＯＭ層１２０には、例えば「カタログ表示ソフト」や「ダウンロードソフト」等、処理部１０をカタログ提示部１０２およびコンテンツ取得部１０３として機能させるためのプログラムが、予め記録されていることが好ましい。
【００６４】
また、好ましくは、ＲＯＭ層１２０には、サーバ３に接続するためのＵＲＬが記録されており、より好ましくは、サーバ３による認証サービスのための認証データがさらに記録されている。
【００６５】
（記録再生装置１における処理の一例）
記録再生装置１において実行される処理の一例について、図４を参照して以下に説明する。図４は、記録再生装置１において実行される処理を説明するための模式図である。なお、図中の矢印は情報の流れを示している。
【００６６】
まず、ユーザがディスク１００をドライブ部１１に装填すると、コンテンツ再生部１０１は、ディスク１００のＲＯＭ層１２０に予め記録されているオリジナルコンテンツを読み出し、映像・音声出力Ｉ／Ｆを介してテレビ装置２に出力する。テレビ装置２は、オリジナルコンテンツを再生する。これによって、ユーザはオリジナルコンテンツを視聴する。
【００６７】
オリジナルコンテンツの再生が終了すると、ＲＯＭ層１２０に記録されたカタログ表示ソフトおよびダウンロードソフトによるアプリケーションが自動的に起動する。
【００６８】
これによって、まず、カタログ提示部１０２が、ディスク１００のＲＯＭ層１２０に予め記録されている関連コンテンツカタログを読み出し、映像・音声出力Ｉ／Ｆを介してテレビ装置２に出力する。テレビ装置２のディスプレイは、関連コンテンツカタログを表示する。なお、カタログ提示部１０２は、図４に示すように、関連コンテンツカタログをサムネイル表示させることが好ましい。
【００６９】
次いで、ユーザは、操作装置４を操作し、提示された関連コンテンツカタログの中から、入手したいと考える関連コンテンツを選択する（ここでは番号９の関連コンテンツ）。操作装置４は、選択結果を入力ユーザＩ／Ｆ１４に通知する。これに応じて、カタログ提示部１０２は、ユーザが選択した関連コンテンツについてのコンテンツ識別情報（ＩＤ）をＲＯＭ層１２０内の関連コンテンツカタログから抽出し、コンテンツ取得部１０３に出力する。コンテンツ取得部１０３は、入力されたＩＤを、ネットワークＩ／Ｆ１３を介してサーバ３に送信する。
【００７０】
サーバ３は、記録再生装置１から送信されたＩＤを受信し、当該ＩＤに該当する関連コンテンツをコンテンツデータベースから抽出してそのデータを記録再生装置１に送信する。記録再生装置１は、サーバ３から送信された関連コンテンツのデータを、ネットワークＩ／Ｆ１３を介して受信する。なお、関連コンテンツを取得する際の通信処理については、後述にて詳細を説明する。
【００７１】
次いで、コンテンツ取得部１０３は、受信した関連コンテンツのデータをドライブ部１１に出力し、ドライブ部１１は入力された関連コンテンツのデータをディスク１００のＲＥ層１１０に記録する。
【００７２】
（本実施形態の利点）
以上の処理によれば、ユーザは、最初に視聴したオリジナルコンテンツを気に入れば、このオリジナルコンテンツに関連する関連コンテンツを容易に入手することができる。また、関連コンテンツはオリジナルコンテンツと同一のディスク１００に格納されるため、ユーザは入手したコンテンツを容易に管理することができる。例えば、ユーザがシリーズ物の１話目を視聴して気に入れば、カタログから２話目コンテンツを選択することにより、シリーズ物のコンテンツを１枚のディスク１００で管理することができる。
【００７３】
さらに、カタログ提示部１０２およびコンテンツ取得部１０３を機能させるアプリケーションのプログラムがディスク１００に記録されていることによって、専用機器や専用アプリケーションのインストールを必要とせずに、関連コンテンツを容易に取得することができる。すなわち、アプリケーション実行機能、ハイブリッドディスク読み書き機能、およびネットワーク接続機能を有する一般的な機器を用いて記録再生装置１を実現することが可能になる。
【００７４】
（関連コンテンツカタログの変形例）
関連コンテンツカタログは、上述した情報だけでなく、関連コンテンツの一部データを含んでいることが好ましい。関連コンテンツの一部データとしては、例えば、関連コンテンツのダイジェスト版のデータ、および、最初の数分間に値するデータ等が挙げられる。
【００７５】
具体的には、上述した処理において関連コンテンツカタログが提示された際、ユーザは操作装置４を操作して、興味のある関連コンテンツを一部再生するよう指示する（仮選択する）。操作装置４は、この指示を入力ユーザＩ／Ｆ１４に通知する。これに応じて、カタログ提示部１０２は、ユーザが仮選択した関連コンテンツについて、上記一部データを読み出し、映像・音声出力Ｉ／Ｆを介してテレビ装置２に出力する。これによって、テレビ装置２は、仮選択された関連コンテンツのダイジェスト版または最初の数分間を再生する。
【００７６】
ユーザは、ダイジェスト版や最初の数分間を視聴し、気に入った関連コンテンツのみを選択することができる。
【００７７】
（記録再生装置１における処理の変形例）
なお、上述した処理において、カタログ提示部１０２は、抽出した関連コンテンツのＩＤをディスク１００に記録してもよい。記録再生装置１における処理の変形例について図５を参照して説明する。図５は、記録再生装置１において実行される処理の他の例を説明するための模式図である。なお、図中の矢印は情報の流れを示している。
【００７８】
なお、以下の説明では、カタログ提示部１０２が、ＩＤを関連コンテンツカタログから抽出するまでの処理は、上述した処理と同様であるため省略する。
【００７９】
抽出後、記録再生装置１がネットワークに接続できない環境にある場合、または、低速な通信しかできない環境にある場合、カタログ提示部１０２は、抽出したＩＤをドライブ部１１に出力してもよい。これに応じて、ドライブ部１１は、入力されたＩＤをディスク１００のＲＥ層１１０に記録する。
【００８０】
次いで、コンテンツ取得部１０３は、記録再生装置１がネットワークに接続され、サーバ３との通信が十分に可能であることを確認した後、ＲＥ層１１０に記録されたＩＤを読み出し、ネットワークＩ／Ｆ１３を介してサーバ３に送信する。以降の処理は、上述した処理と同様である。
【００８１】
この変形例によれば、記録再生装置１が一時的にサーバ３と通信できないときがあったとしても、記録再生装置１がサーバ３と通信可能になった後に、関連コンテンツを取得することができる。
【００８２】
（関連コンテンツを取得する際の通信処理）
関連コンテンツを取得する際の通信処理の一例について、図６を参照して以下に詳細に説明する。図６は、関連コンテンツを取得する際の通信処理を説明するための模式図である。なお、図中の矢印は情報の流れを示している。
【００８３】
以下の説明において、ディスク１００のＲＯＭ層１２０には認証データが記録されているとする。
【００８４】
まず、コンテンツ取得部１０３は、ＲＯＭ層１２０に記録されているＵＲＬに従って、ネットワークＩ／Ｆ１３を介してサーバ３にアクセスを開始する。次いで、コンテンツ取得部１０３は、ＲＯＭ層１２０に記録された認証データを読み出し、ネットワークＩ／Ｆ１３を介してサーバ３に送信する。
【００８５】
サーバ３は、認証サービスにより、送信された認証データを読み取り、送信元の記録再生装置１に装填されているディスク１００が正規のディスクであることを確認する。
【００８６】
サーバ３により、正規のディスクであることが確認された後、コンテンツ取得部１０３は、関連コンテンツのＩＤをネットワークＩ／Ｆ１３を介してサーバ３に送信する。
【００８７】
サーバ３は、記録再生装置１から送信されたＩＤを受信し、当該ＩＤに該当する関連コンテンツをデータベースから抽出する。サーバ３は、さらに、抽出した関連コンテンツのデータを暗号化した上で、記録再生装置１に送信する。暗号化の方法は特に限られず汎用の方法を用いることができる。記録再生装置１は、サーバ３から送信された関連コンテンツのデータを、ネットワークＩ／Ｆ１３を介して受信する。
【００８８】
次いで、コンテンツ取得部１０３は、受信した関連コンテンツのデータを暗号解除してドライブ部１１に出力する。ドライブ部１１は、暗号解除された関連コンテンツのデータを、ディスク１００のＲＥ層１１０に記録する。
【００８９】
次に、関連コンテンツを取得する際における通信処理の他の一例について、図７を参照して以下に詳細に説明する。図７は、関連コンテンツを取得する際における通信処理の他の例を説明するための模式図である。なお、図中の矢印は情報の流れを示している。
【００９０】
以下の説明において、サーバ３により、正規のディスクであることが確認されるまでの処理は、上述処理と同様であるため説明を省略する。ここで、ディスク１００のＲＯＭ層１２０には認証データが記録されており、ＲＥ層１１０には鍵情報が記録されているとする。
【００９１】
サーバ３により、正規のディスクであることが確認された後、コンテンツ取得部１０３は、ＲＥ層１１０に記録された鍵情報を読み出し、この鍵情報を暗号化した後、ネットワークＩ／Ｆ１３を介してサーバ３に送信する。また、コンテンツ取得部１０３は、関連コンテンツのＩＤをネットワークＩ／Ｆ１３を介してサーバ３に送信する。
【００９２】
サーバ３は、記録再生装置１から送信された鍵情報およびＩＤを受信し、当該ＩＤに該当する関連コンテンツのデータをデータベースから抽出する。さらに、サーバ３は、抽出した関連コンテンツのデータを、受信した鍵情報に基づいて暗号化した上で、記録再生装置１に送信する。記録再生装置１は、サーバ３から送信された関連コンテンツのデータを、ネットワークＩ／Ｆ１３を介して受信する。
【００９３】
次いで、コンテンツ取得部１０３は、受信された関連コンテンツのデータをそのままディスク１００に出力し、ドライブ部１１は入力された関連コンテンツのデータをディスク１００のＲＥ層１１０に記録する。
【００９４】
なお、図６または図７を参照して説明した処理において、サーバ３の送信する関連コンテンツのデータが、ＭＰＥＧ−２  ＴＳなどのストリームフォーマットである場合、記録再生装置１は、受信したデータをディスク１００に対応したフォーマットに変換してからディスク１００に記録すればよい。あるいは、サーバ３が、関連コンテンツのデータを予めディスク１００に対応したフォーマットで準備しており、そのデータを送信する場合、記録再生装置１は、受信したデータをそのままのフォーマットでディスク１００に記録すればよい。
【００９５】
また、図６または図７を参照して説明した処理において、コンテンツ取得部１０３がサーバ３に送信する関連コンテンツのＩＤは、カタログ提示部１０２がＲＯＭ層１２０内の関連コンテンツカタログから抽出してコンテンツ取得部１０３に入力したものであってもよいし、ＲＥ層１１０に記録されていたものであってもよい。
【００９６】
〔実施形態２〕
本発明の第２の実施形態について、図面を参照しながら説明する。本実施形態は、記録再生装置１ａおよび端末装置５を含む情報記録システムを実現するものである。
【００９７】
本実施形態に係る記録再生装置１ａは、サーバ３との通信手段を備えておらず、処理部１０ａがコンテンツ取得部１０３として機能しない点において、上述した実施形態１に係る記録再生装置１とは異なる。
【００９８】
したがって、以下では、上記相違点を中心に説明し、実施形態１と同様の内容については省略する場合がある。なお、実施形態１における構成要素と対応する機能を有する構成要素には、同一符号を用いることとする。
【００９９】
（情報記録システムの構成）
図８は、記録再生装置１ａの主要部の構成を示すブロックである。また、図９は、端末装置５の主要部の構成を示すブロックである。
【０１００】
図８に示すように、記録再生装置１ａは、主として処理部１０ａ、ドライブ部１１、映像・音声出力Ｉ／Ｆ１２、ユーザＩ／Ｆ１４、作業用メモリ１５、および不揮発性メモリ１６を備えている。処理部１０ａは、コンテンツ再生部１０１を含んで構成され、さらに、ディスク１００に記録されたプログラム（ソフトウェア）が実行されることによって、カタログ提示部（提示手段）１０２を含んで構成される。
【０１０１】
また、図９に示すように、端末装置５は、処理部５０、ドライブ部（記録処理手段）５１、ネットワークＩ／Ｆ５２を備えている。処理部５０は、コンテンツ取得部（コンテンツ取得手段）１０４を含んで構成される。各部材の詳細については後述する。
【０１０２】
なお、端末装置５としては、例えばコンビニ等の外部に設置された専用の端末であってもよい。
【０１０３】
（情報記録システムにおける処理の一例）
情報記録システムにおいて実行される処理の一例について、再び図５を参照して以下に説明する。
【０１０４】
まず、ユーザがディスク１００を記録再生装置１のドライブ部１１に装填すると、コンテンツ再生部１０１は、ディスク１００のＲＯＭ層１２０に予め記録されているオリジナルコンテンツを読み出し、映像・音声出力Ｉ／Ｆを介してテレビ装置２に出力する。テレビ装置２は、オリジナルコンテンツを再生する。
【０１０５】
オリジナルコンテンツの再生が終了すると、ＲＯＭ層１２０に記録されたカタログ表示ソフトによるアプリケーションが自動的に起動する。
【０１０６】
これによって、まず、カタログ提示部１０２が、ディスク１００のＲＯＭ層１２０に予め記録されている関連コンテンツカタログを読み出し、映像・音声出力Ｉ／Ｆを介してテレビ装置２に出力する。テレビ装置２のディスプレイは、関連コンテンツカタログを表示する。なお、カタログ提示部１０２は、図５に示すように、関連コンテンツカタログをサムネイル表示させることが好ましい。
【０１０７】
テレビ装置２にカタログが表示された後、ユーザは、操作装置４を操作し、提示された関連コンテンツカタログの中から、入手したいと考える関連コンテンツを選択する。操作装置４は、選択結果を入力ユーザＩ／Ｆ１４に通知する。これに応じて、カタログ提示部１０２はＲＯＭ層１２０に記録された関連コンテンツカタログから、ユーザに選択された関連コンテンツのコンテンツ識別情報（ＩＤ）を抽出し、ドライブ部１１に出力する。次いで、ドライブ部１１は、入力されたＩＤを、ディスク１００のＲＥ層１１０に記録する。
【０１０８】
その後、ユーザは、ディスク１００を記録再生装置１ａから取り出し、端末装置５のドライブ部５１に装填する。
【０１０９】
端末装置５では、ドライブ部５１にディスク１００が装填されると、処理部５０のコンテンツ取得部１０４が、ディスク１００のＲＥ層１１０に記録されたＩＤを読み出し、ネットワークＩ／Ｆ５２を介してサーバ３に送信する。
【０１１０】
サーバ３は、端末装置５から送信されたＩＤを受信し、当該ＩＤに該当する関連コンテンツをデータベースから抽出してそのデータを端末装置５に送信する。端末装置５は、サーバ３から送信された関連コンテンツのデータを、ネットワークＩ／Ｆ５２を介して受信する。なお、関連コンテンツを取得する際の通信処理については、実施形態１における説明と同様である。
【０１１１】
次いで、コンテンツ取得部１０４は、受信した関連コンテンツのデータをドライブ部５１に出力し、ドライブ部５１は、入力された関連コンテンツのデータをディスク１００のＲＥ層１１０に記録する。
【０１１２】
（本実施形態の利点）
以上の処理によれば、例えば、自宅にネットワーク環境がない場合など、ＲＥ層１１０に関連コンテンツのＩＤが記録されたディスクを、コンビニなどに設置された端末装置５に装填することによって、ディスク１００に関連コンテンツを高速で記録することができる。
【０１１３】
（端末装置５の変形例）
端末装置５において、ネットワークＩ／Ｆ５２を介して関連コンテンツを受信することは、コンテンツ取得部１０４が関連コンテンツを取得する方法の一例に過ぎない。
【０１１４】
例えば、端末装置５自体が、多数のコンテンツデータを記録したデータベースを備えていてもよい。この場合、コンテンツ取得部１０４は、端末装置５のデータベースから関連コンテンツを取得してもよい。この場合、ディスク１００に関連コンテンツを更に高速で記録することが可能となる。
【０１１５】
（その他）
なお、本実施形態に係る記録再生装置１ａに限られず、実施形態１に係る情報記録形態１を、端末装置５と組み合わせて利用することもできる。
【０１１６】
例えば、実施形態１における処理の変形例にて説明したように、情報記録形態１において関連コンテンツのＩＤをディスク１００のＲＥ層１１０に記録する。その後、このディスク１００を端末装置５に装填することによって、このディスク１００に関連コンテンツを記録することができる。
【０１１７】
〔実施形態３〕
本発明の第３の実施形態について、図面を参照しながら説明する。
【０１１８】
本実施形態に係る記録再生装置１ｂは、関連コンテンツのカタログ、およびカタログ提示部を機能させるためのカタログ表示ソフトが記録されていないディスク２００に対して、関連コンテンツを記録する点において、上述した実施形態１に係る記録再生装置１とは異なる。
【０１１９】
したがって、以下では、上記相違点を中心に説明し、実施形態１と同様の内容については省略する場合がある。なお、実施形態１における構成要素と対応する機能を有する構成要素には、同一符号を用いることとする。
【０１２０】
（記録再生装置１ｂの構成）
図１０に基づき、記録再生装置１ｂについて説明する。図１０は、記録再生装置１ｂの概要構成を示すブロック図である。
【０１２１】
図１０に示すように、記録再生装置１ｂは、主として処理部１０ｂ、ドライブ部（記録処理手段）１１、映像・音声出力Ｉ／Ｆ１２、ネットワークＩ／Ｆ（通信手段）１３、ユーザＩ／Ｆ１４、作業用メモリ１５、および不揮発性メモリ１６を備えている。
【０１２２】
ここで、処理部１０ｂは、コンテンツ再生部１０１を含んで構成され、さらに、ディスク１００に記録された後述のプログラムが実行されることによって、コンテンツ検索部（検索手段）１０５およびコンテンツ取得部（取得手段）１０６を含んで構成される。各部材の詳細については後述する。
【０１２３】
（ディスク２００の構成）
ディスク２００は、ディスク１００と同様に、書き換え可能な情報記録層（ＲＥ層）と、書き換え不能な情報記録層（ＲＯＭ層）を有するハイブリッドディスクである。
【０１２４】
ディスク２００のＲＥ層には、ディスク１００と同様に、予めデータが記録されている必要はない。ディスク２００を使用することによって、コンテンツ取得部１０６により取得されたコンテンツや、取得を要求するコンテンツの識別情報等が記録される。
【０１２５】
一方、ディスク２００のＲＯＭ層には、予め、ディスク２００の配布元等によって、オリジナルコンテンツが記録されている。また、このＲＯＭ層には、例えば「ネットワーク購入用ソフト」等、処理部１０ｂをコンテンツ取得部１０６およびコンテンツ検索部１０５として機能させるためのプログラムが、予め記録されていることが好ましい。
【０１２６】
（記録再生装置１ｂにおける処理の一例）
記録再生装置１ｂにおいて実行される処理の一例について以下に説明する。
【０１２７】
まず、ユーザがディスク２００を記録再生装置１ｂのドライブ部１１に装填し、ディスク２００のＲＯＭ層に記録されたネットワーク購入用ソフトによるアプリケーションを起動する。
【０１２８】
これによって、コンテンツ検索部１０５が、ネットワークＩ／Ｆ５２を介して、サーバ３に自動で接続する。コンテンツ検索部１０５は、サーバ３のデータベースを参照する。このとき、コンテンツ検索部１０５は、ディスク２００のＲＯＭ層に記録されたオリジナルコンテンツのタイトル等に基づいて、サーバ３のデータベースから、当該オリジナルコンテンツに関連する関連コンテンツの一覧を取得する。さらに、コンテンツ検索部１０５は、取得した関連コンテンツの一覧を、映像・音声出力Ｉ／Ｆ１２を介してテレビ装置２に表示する。
【０１２９】
次いで、ユーザは、操作装置４を操作し、表示された関連コンテンツの一覧から、自分の好みの関連コンテンツを選択する。操作装置４は、選択結果を入力ユーザＩ／Ｆ１４に通知する。これに応じて、コンテンツ取得部１０６は、ユーザに選択された関連コンテンツのデータを、ネットワークＩ／Ｆ１３を介してサーバ３から取得する。
【０１３０】
次いで、コンテンツ取得部１０６は取得した関連コンテンツのデータをドライブ部１１に出力し、ドライブ部１１は、入力された関連コンテンツのデータをディスク２００のＲＥ層に記録する。
【０１３１】
（本実施形態の利点）
以上の処理によれば、コンテンツ検索部１０５が関連コンテンツを自動で検索して、検索結果をユーザに一覧提示するため、ユーザが検索する手間を省くことができる。
【０１３２】
（付記事項）
最後に、記録再生装置１の各ブロック、特に制御部２０は、ハードウェアロジックによって構成してもよいし、次のようにＣＰＵを用いてソフトウェアによって実現してもよい。
【０１３３】
すなわち、記録再生装置１は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである記録再生装置１の制御プログラムのプログラムコード（実行形式プログラム、中間コードプログラム、ソースプログラム）をコンピュータで読み取り可能に記録した記録媒体を、前記記録再生装置１に供給し、そのコンピュータ（又はＣＰＵやＭＰＵ）が記録媒体に記録されているプログラムコードを読み出し実行することによっても、達成可能である。
【０１３４】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３５】
また、記録再生装置１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１３６】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３７】
本発明は、ＲＯＭ層及びＲＥ層を有する多層構造の情報記録媒体や該光情報記録媒体に情報を記録するための情報記録装置などに広く適用することができる。
【符号の説明】
【０１３８】
１、１ａ、１ｂ  情報記録装置
２  テレビ装置
３  サーバ
５  端末装置
１０、１０ａ、１０ｂ  処理部
１１  ドライブ部（記録処理手段）
５０  処理部
５１  ドライブ部（記録処理手段）
１００  ディスク（着脱型情報記録媒体）
１０１  コンテンツ再生部
１０２  カタログ提示部（提示手段）
１０３  コンテンツ取得部（取得手段）
【図１】
2011192361.tif 000003
【図２】
2011192361.tif 000004
【図３】
2011192361.tif 000005
【図４】
2011192361.tif 000006
【図５】
2011192361.tif 000007
【図６】
2011192361.tif 000008
【図７】
2011192361.tif 000009
【図８】
2011192361.tif 000010
【図９】
2011192361.tif 000011
【図１０】
2011192361.tif 000012